【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
外部から受信する印刷データを解析して、ソフトウェアの認証情報を抽出する印刷データ解析手段と、
前記認証情報に対応する使用が認められる認証ソフトウェア情報を管理する認証ソフトウェア情報管理手段と、
前記印刷データ解析手段が抽出した前記認証情報と、前記認証ソフトウェア情報とに基づいて、前記ソフトウェアの使用の許諾を判定する判定手段とを備え、
前記印刷データ解析手段は、
前記印刷データを解析して、ユーザ権原を抽出し、
前記判定手段は、
前記ユーザ権原に応答し、前記認証ソフトウェア情報管理手段から認証ソフトウェア情報を取得して、前記印刷データに含まれる前記認証情報に対応するソフトウェアが使用を認められた認証ソフトウェアとして登録されているか否かを調べ、登録されていない場合は前記認証ソフトウェア情報管理手段に対して当該ソフトウェアを認証ソフトウェアとして登録させ、認証ソフトウェア情報を更新させる、
画像形成装置。
【請求項２】
前記認証ソフトウェア情報管理手段は、
外部に保持されている認証ソフトウェア情報を管理する、請求項１に記載の画像形成装置。
【請求項３】
前記ソフトウェアは、前記印刷データを生成するプリンタドライバである、請求項１または２に記載の画像形成装置。
【請求項４】
画像形成装置に対してソフトウェア認証を実行させるための装置実行可能な画像出力制御方法であって、前記画像出力制御方法は、画像形成装置が、
外部から受信する印刷データを解析して、ソフトウェアの認証情報を抽出するステップと、
前記認証情報に対応する使用が認められる認証ソフトウェア情報を管理するステップと、
前記印刷データ解析手段が抽出した前記認証情報と、前記認証ソフトウェア情報とに基づいて、前記ソフトウェアの使用の許諾を判定するステップとを実行し、
前記ソフトウェアの認証情報を抽出するステップは、
前記印刷データを解析して、ユーザ権原を抽出するステップを含み、
前記使用の許諾を判定するステップは、
前記ユーザ権原に応答し、認証ソフトウェア情報管理手段から認証ソフトウェア情報を取得するステップと、
前記印刷データに含まれる前記認証情報に対応するソフトウェアが使用を認められた認証ソフトウェアとして登録されているか否かを調べるステップと、
前記認証ソフトウェアとして登録されていない場合は前記認証ソフトウェア情報管理手段に対して当該ソフトウェアを認証ソフトウェアとして登録させ、認証ソフトウェア情報を更新させるステップと
を含む、画像出力制御方法。
【請求項５】
画像形成装置に対してソフトウェア認証を実行させるための装置実行可能なプログラムであって、前記プログラムは、画像形成装置を、
外部から受信する印刷データを解析して、ソフトウェアの認証情報を抽出する印刷データ解析手段と、
前記認証情報に対応する使用が認められる認証ソフトウェア情報を管理する認証ソフトウェア情報管理手段と、
前記印刷データ解析手段が抽出した前記認証情報と、前記認証ソフトウェア情報とに基づいて、前記ソフトウェアの使用の許諾を判定する判定手段として機能させ、
前記印刷データ解析手段は、
前記印刷データを解析して、ユーザ権原を抽出し、
前記判定手段は、
前記ユーザ権原に応答し、前記認証ソフトウェア情報管理手段から認証ソフトウェア情報を取得して、前記印刷データに含まれる前記認証情報に対応するソフトウェアが使用を認められた認証ソフトウェアとして登録されているか否かを調べ、登録されていない場合は前記認証ソフトウェア情報管理手段に対して当該ソフトウェアを認証ソフトウェアとして登録させ、認証ソフトウェア情報を更新させる、
装置実行可能なプログラム。
【請求項６】
前記認証ソフトウェア情報管理手段は、
外部に保持されている認証ソフトウェア情報を管理する、請求項５に記載のプログラム。
【請求項７】
前記ソフトウェアは、前記印刷データを生成するプリンタドライバである、請求項５または６に記載のプログラム。
【手続補正２】
【補正対象書類名】明細書
【補正対象項目名】０００８
【補正方法】変更
【補正の内容】
【０００８】
すなわち、本発明によれば、外部から受信する印刷データを解析して、ソフトウェアの認証情報を抽出する印刷データ解析手段と、
前記認証情報に対応する使用が認められる認証ソフトウェア情報を管理する認証ソフトウェア情報管理手段と、
前記印刷データ解析手段が抽出した前記認証情報と、前記認証ソフトウェア情報とに基づいて、前記ソフトウェアの使用の許諾を判定する判定手段とを備え、
前記印刷データ解析手段は、
前記印刷データを解析して、ユーザ権原を抽出し、
前記判定手段は、
前記ユーザ権原に応答し、前記認証ソフトウェア情報管理手段から認証ソフトウェア情報を取得して、前記印刷データに含まれる前記認証情報に対応するソフトウェアが使用を認められた認証ソフトウェアとして登録されているか否かを調べ、登録されていない場合は前記認証ソフトウェア情報管理手段に対して当該ソフトウェアを認証ソフトウェアとして登録させ、認証ソフトウェア情報を更新させる、
画像形成装置が提供される。
【手続補正３】
【補正対象書類名】明細書
【補正対象項目名】０００９
【補正方法】変更
【補正の内容】
【０００９】
本発明では、前記認証ソフトウェア情報管理手段は、外部に保持されている認証ソフトウェア情報を管理することができる。
【手続補正４】
【補正対象書類名】明細書
【補正対象項目名】００１０
【補正方法】変更
【補正の内容】
【００１０】
本発明では、前記ソフトウェアは、前記印刷データを生成するプリンタドライバとすることができる。
【手続補正５】
【補正対象書類名】明細書
【補正対象項目名】００１１
【補正方法】変更
【補正の内容】
【００１１】
本発明によれば、外部から受信する印刷データを解析して、ソフトウェアの認証情報を抽出するステップと、
前記認証情報に対応する使用が認められる認証ソフトウェア情報を管理するステップと、
前記印刷データ解析手段が抽出した前記認証情報と、前記認証ソフトウェア情報とに基づいて、前記ソフトウェアの使用の許諾を判定するステップとを実行し、
前記ソフトウェアの認証情報を抽出するステップは、
前記印刷データを解析して、ユーザ権原を抽出するステップを含み、
前記使用の許諾を判定するステップは、
前記ユーザ権原に応答し、認証ソフトウェア情報管理手段から認証ソフトウェア情報を取得するステップと、
前記印刷データに含まれる前記認証情報に対応するソフトウェアが使用を認められた認証ソフトウェアとして登録されているか否かを調べるステップと、
前記認証ソフトウェアとして登録されていない場合は前記認証ソフトウェア情報管理手段に対して当該ソフトウェアを認証ソフトウェアとして登録させ、認証ソフトウェア情報を更新させるステップと
を含む、画像出力制御方法が提供される。
【手続補正６】
【補正対象書類名】明細書
【補正対象項目名】００１２
【補正方法】変更
【補正の内容】
【００１２】
本発明によれば、画像形成装置に対してソフトウェア認証を実行させるための装置実行可能なプログラムであって、前記プログラムは、画像形成装置を、
外部から受信する印刷データを解析して、ソフトウェアの認証情報を抽出する印刷データ解析手段と、
前記認証情報に対応する使用が認められる認証ソフトウェア情報を管理する認証ソフトウェア情報管理手段と、
前記印刷データ解析手段が抽出した前記認証情報と、前記認証ソフトウェア情報とに基づいて、前記ソフトウェアの使用の許諾を判定する判定手段として機能させ、
前記印刷データ解析手段は、
前記印刷データを解析して、ユーザ権原を抽出し、
前記判定手段は、
前記ユーザ権原に応答し、前記認証ソフトウェア情報管理手段から認証ソフトウェア情報を取得して、前記印刷データに含まれる前記認証情報に対応するソフトウェアが使用を認められた認証ソフトウェアとして登録されているか否かを調べ、登録されていない場合は前記認証ソフトウェア情報管理手段に対して当該ソフトウェアを認証ソフトウェアとして登録させ、認証ソフトウェア情報を更新させる、
装置実行可能なプログラムが提供される。
【手続補正７】
【補正対象書類名】明細書
【補正対象項目名】００１３
【補正方法】変更
【補正の内容】
【００１３】
本発明によれば、前記認証ソフトウェア情報管理手段は、外部に保持されている認証ソフトウェア情報を管理することができる。
【手続補正８】
【補正対象書類名】明細書
【補正対象項目名】００１４
【補正方法】変更
【補正の内容】
【００１４】
本発明では、前記ソフトウェアは、前記印刷データを生成するプリンタドライバとすることができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】